(57)【要約】【課題】  扉下端面と床面間の幅広い範囲の隙間に対応できる扉止め装置を提供する。【解決手段】  水平面を有した本体ケースと移動体と傾斜面と係止部を有した昇降部材と磁石を設け、移動体を水平面に乗った状態で左右方向に移動可能な状態で本体ケースに挿入する。昇降部材の最下部に係止部をその上に磁石を配置し、傾斜面が水平面上に突出した状態で上下方向にのみ移動可能な状態で昇降部材を本体ケースに配置して本体装置を構成する。ベース座とフラップからなるストッパー装置を床面に装着し、本体装置を扉下部に装着する。扉の閉鎖動作により移動体が遠心力を受けて本体ケース内を戸先方向に移動し、その動作に連動して磁石を組み込んだ昇降部材が降下し、磁石及び係止部位置とフラップとの距離を短くすることで係止条件を向上させる。またフラップとベース座間にかろうじてフラップが浮かない程度の強さのばね部材を挿入し、フラップを持ち上がりやすくすることで係止条件を向上させる。【選択図】          図１
2007285053.tif 000002
【特許請求の範囲】
【請求項１】
ドアまたは床の一方に磁石と係止部を他方にフラップを備え、ドアの開放度を規制する扉止め装置であって、係止部が扉に対して上下方向に移動可能に配置され、扉の閉鎖速度に連動して係止部が下方に移動する手段を設けたことを特徴とする扉止め装置。
【請求項２】
所定速度以上で扉を閉鎖させると磁石位置が下方に移動し、昇降部材に設けた係止部とフラップ先端との当接により扉の開放を阻止することを特徴とする請求項１に記載の扉止め装置。
【請求項３】
扉に本体ケースと移動体と昇降部材と磁石を有する本体装置を配置し、床面にベース座とフラップからなるストッパー装置を装着し、扉の閉鎖動作により移動体が本体ケース内を戸先方向に移動し、移動体の移動に連動して磁石を組み込んだ昇降部材が上下方向に動作するように構成したことを特徴とする請求項１または２に記載の扉止め装置。
【請求項４】
前記移動体を球体もしくは円柱形状の転動体として設定し、転動体を本体ケース内の水平面に乗った状態で挿入し、昇降部材に複数の傾斜面を設け、該傾斜面が水平面より上部に突出した状態で転動体と隣接させて配置し、本体ケースに対して磁石を含む昇降部材が略浮いた状態で所定位置に保持されるように構成し、扉の閉鎖動作により転動体が昇降部材の傾斜面を押し下げながら本体ケース内を移動する動作を得ることを特徴とする請求項１及至３いずれか１項に記載の扉止め装置。
【請求項５】
前記係止部を下方に移動させる手段に扉の開閉動作により発生する遠心力を用いたことを特徴とする請求項１及至４いずれか１項に記載の扉止め装置。
【請求項６】
前記移動体を比重が重い材料にて設定し、移動体と本体ケース内の水平面間に球体もしくは円柱形状の転動体を別途配置して転動体に移動体が乗った状態で挿入し、一定の扉の閉鎖速度でより強い遠心力を得るように構成したことを特徴とする請求項１及至５いずれか１項に記載の扉止め装置。
【請求項７】
扉の停止状態で、磁石を含む昇降部材を本体ケース内での所定位置に略浮いた状態で保持する手段に、磁石を含む昇降部材の重量と吊り合うか、もしくは磁石を含む昇降部材がかろうじて下方に移動しないだけの強さを有するばね部材を用いたことを特徴とする請求項１及至６いずれか１項に記載の扉止め装置。
【請求項８】
本体ケースにロック部材を上下移動可能な状態で配置し、ストッパー装置のフラップに係合部分を設けておき、フラップが磁石に吸着された開放を阻止した状態でロック部材を係合部分に係合させる操作により扉を開いた状態で保持する構成を併せ持つことを特徴とする請求項１及至７いずれか１項に記載の扉止め装置。
【請求項９】
ストッパー装置のベース座とフラップ間にばね部材を装着し、フラップ自体の重量と吊り合うか、もしくはかろうじてフラップが浮かない程度にて持ち上げる方向に付勢させておき、本体装置の磁石が接近した際によりフラップが吸引されやすいように構成したことを特徴とする扉止め装置。
【発明の詳細な説明】
【技術分野】
【０００１】
本発明は扉を開いた状態で係止又は保持する扉止め装置に関するものである。
【背景技術】
【０００２】
室内等のドアの扉を大きく開放した時に、戸先部分やレバーハンドル錠が壁面に衝突して損傷するという問題点がある。この問題を防ぐために従来から扉止め装置が使用されてきた。これらの扉止め装置は、通常ゴム等の緩衝部材を先端部に配置した基材を床面や壁面から持ち出して取り付け、扉面がこの緩衝部材に当たって扉の開放を止める構成になっている。また扉を開け放ったままの状態にしておいた場合、強風により勝手に大きな衝撃と共にバタンと閉まる現象を防止する必要があり、また台車等にて何度も通行する時等には開放位置で保持したいため、フック状の煽り止め金具と係合具を扉と基材に振り分けて設け、扉を開けた状態で互いを係合させることによりその位置で扉を保持できるようなロック手段も併せて設けられているものが多い。
【０００３】
しかし上記のような扉止め装置は、どうしても基材が床や壁面から大きく突出した状態で配置されているため、掃除の邪魔になり、意匠的にも良くなく、また通行時に足を引っ掛けて転倒したりする危険性があり、バリアフリーを重視する昨今においては不適合であると判断されてきている。
【０００４】
また、扉を開放状態でロック状態にしようとするときには、上半身をかがめながらランダムに動作するフック状の小さな煽り止め金具を指で持って、その先端を係合具に差し込む、または抜き取るといった係合及び解除の操作をしなくてはならなく、高齢者や障害者にとっては非常に困難であると考えられる。
【０００５】
その結果、床面に薄く形成させたストッパー装置を設け、係止部を有したケース部材と磁石からなる本体装置を扉の戸先側下部に装着した構成が特開平１０−１１５１３９や特許第２９８３５３０号や特許第２９９０６０１号公報に開示されている。上記構成のストッパー装置は金属製で磁石に吸引される材質のフラップとベース座とからなり、フラップは上下方向に回動自在にベース座に装着され、通常時には床面からなるべく突出しないような工夫がなされている。つまりこの構成の基本動作としては、扉を開放して本体装置がストッパー装置に接近すると、磁石によりフラップが吸引されて持ち上がり、フラップ先端がケース部材の係止部に当接することにより扉の開放を係止する構成になっている。
【０００６】
しかし上記構成においては、磁石とフラップとによる吸引力のみでしか扉の開放位置を保持しておらず、扉を閉じる方向には何等規制する構成が含まれていないため、風などで簡単に閉じる方向に戻ってしまい、扉を開いた状態で確実に保持することができないと言う問題点が残っている。
【０００７】
そこで本発明者は、扉を開放した状態で確実に保持でき、さらに保持及び解除の操作性に優れた構成を特開２００２−４７８５１で報告した。この構成は、まず本体装置にさらに操作部分を有したロック部材を連動させて組み込み、ストッパー装置のフラップに係合部分を備えておく。そしてフラップが磁力により持ち上がって本体装置の係止部に当接した、つまり扉が開方向に係止された状態で、操作手段によりロック部材をフラップの係合部分に係合させ、扉の閉方向への移動をも規制するようになっている。
【０００８】
また上記構成での、本体装置が扉の開放に従ってストッパー装置に接近し磁石にフラップが吸引されて持ち上がって互いが係止する動作は、a磁石の磁力の強さ、bフラップと磁石の距離、cフラップの重さ、d扉の開放速度、が主なる要因となり、磁石の吸引力は大きいほどよく、フラップと磁石の距離は短い方がよく、フラップ自体の重量は軽い方がよく、扉の開放速度は遅い方が係止に関する条件が良くなる。
【０００９】
つまり、前述の先端部に緩衝部材を設けた基材を床面や壁面から持ち出して取り付けた構成の扉止め装置では、扉面の回転範囲に基材が突出している限りどのような条件でも絶対に所定位置にて扉の開放を規制できるのに対して、上記の磁力を用いた構成では一定範囲内での条件下においてのみ扉の開放を規制することができることになる。従って極端に前述の条件から外れた場合には、扉に装着された本体装置が係止せずにストッパー装置位置を通り過ごしてしまう空振り現象が起こり、扉止め装置としての機能が果たせ無くなる。そこで現状としては上記の条件範囲を有限に設定し、その範囲内でのみにおいて確実な閉止動作が得られるようにして使用している。
【００１０】
しかし昨今では、扉の下端面と床面間の距離においては換気の問題等によりかなり大きく隙間を開けるようなドアの納まりが多く、その場合では上記条件面においては良くない方向になる。また磁力は相対的に磁石の体積に略比例するのであるが、本体装置を扉面に取り付ける場合は完全に露出するためにデザイン性が重要で全体のサイズをコンパクトにすることが必要であり、両者は相反する要因になる。
【特許文献１】特開平１０−１１５１３９
【特許文献２】特許第２９８３５３０号
【特許文献３】特許第２９９０６０１号
【特許文献４】特開２００２−４７８５１
【発明の開示】
【発明が解決しようとする課題】
【００１１】
本発明は上記問題点を解決すべくなされたものであり、幅広い範囲の扉の下端面と床面間の隙間に対応でき、比較的コンパクトな大きさにて製作可能でデザイン性にも優れ、さらに開放状態での保持及び解除が可能で、かつその操作性にも優れた扉止め装置を提供することを目的とする。
【課題を解決するための手段】
【００１２】
まず、本体ケースと磁石と移動体と昇降部材を設け、磁石と昇降部材を本体ケース内で上下方向に移動可能に配置する。そして移動体を昇降部材に近接した状態で同様に本体ケース内に配置して本体装置を構成する。このとき昇降部材と磁石が扉に対して上下方向に移動可能に配置しておく。そして昇降部材に傾斜面と係止部を形成しておき、傾斜面に接するように移動体を配置して本体装置を構成する。また移動体は本体ケース内で扉面に対して平行な左右方向に移動できるように設定しておき、移動体の動作に連動して昇降部材の傾斜面が押され、その結果昇降部材が上下方向に移動するようにしておく。
【００１３】
ストッパー装置は金属製で磁石に吸引される材質のフラップとベース座とからなり、フラップは上下方向に回動自在にベース座に装着されている。通常時にはフラップの自重によりフラップ面とベース座面が密着した状態で全体が薄くなるように構成されている。そしてストッパー装置を床面に、本体装置を扉の下部に固定する。両者の基本動作としては、扉を開放して本体装置がストッパー装置に接近すると、磁石によりフラップが吸引されて持ち上がり、フラップ先端が昇降部材の係止部に当接することにより扉の開放を規制することができる。
【００１４】
ここで、移動体が左右方向に移動する動作を得るには、扉の開閉動作により発生する遠心力を用いるとよい。つまり扉の急激な開放動作により移動体が遠心力で本体ケース内を戸先方向に移動し、その動作に連動して昇降部材及び磁石位置を下方に移動させることが可能になる。従って前記移動体自体を所定の重量の球体もしくは円柱形状の転動体として設定し、転動体を本体ケース内の水平面に乗った状態で挿入し、昇降部材に複数の傾斜面を設け、該傾斜面が水平面より上部に突出した状態で転動体と隣接させて配置させるとよい。すると扉の開放動作により発生する遠心力にて転動体が昇降部材の傾斜面を押し下げながら本体ケース内を移動する動作を得、昇降部材と共に磁石及び係止部を下方に移動させることができる。
【００１５】
従って移動体は体積当たりでより強い遠心力を得ることができるように比重の大きい材質にて設定すると良い。またより小さい遠心力でも昇降部材を動作させることができるように、本体ケースに対して磁石を含む昇降部材が略浮いた状態で所定位置に保持されるように構成するとよい。その手段としては、昇降部材と磁石の重量と吊り合うか、もしくは昇降部材と磁石がかろうじて下方に移動しないだけの強さを有するばね部材を本体ケースと昇降部材間に挿入しておくとよい。
【００１６】
また移動体を遠心力にて本体ケース内で左右方向に移動させる別の構成としては、同様に移動体を比重が重い材料にて設定し、移動体とケース内の水平面間に別途球体もしくは円柱形状のコロのような転動体を配置して転動体に移動体が乗った状態で挿入し、一定の扉の閉鎖速度でより強い遠心力を得るような構成も適している。この構成では転動体が移動体自体の役割を担っていないのが前記の構成と異なっている点であり、その分移動体の形状や重量を比較的任意に設定しやすいことが特徴である。
【００１７】
上記のような構成の本体装置とストッパー装置を扉と床面に振り分けて装着し、所定速度以上で扉を閉鎖させると、遠心力により移動体が戸先方向に移動し、昇降部材と共に係止部と磁石位置が下方に移動し、磁石とフラップ間の距離が短くなることでより強い磁力でフラップを吸引することが可能となり、その結果昇降部材に設けた係止部とフラップ先端との当接により扉のより確実な係止動作を得ることができる。
【００１８】
また、もう一つのフラップを磁力により持ち上げるための要素としては、フラップの自重が軽い方が条件的に良いことが挙げられる。しかし扉の係止状態でフラップが持ち上がる角度が大きすぎるとフラップ先端が係止部に当接した際に捲り上げるような現象になるため、フラップの持ち上がり角度を所定の角度以下に設定する必要がある。すると床面と扉下端との隙間が大きい納まり等ではフラップ自体を長い形状にする必要が生じ、フラップ自体の強度も必要なため比較的重いものになりがちである。
【００１９】
そこで、ストッパー装置のベース座とフラップ間にばね部材を装着し、フラップ自体の重量と吊り合うか、もしくはかろうじてフラップが浮かない程度にて持ち上げる方向に付勢させておき、本体装置の磁石が接近した際によりフラップが吸引されて持ち上がりやすいような構成が有効である。
【００２０】
また扉を開放した状態で確実に保持でき、さらに簡単な操作で解除可能なロック機構も併せて必要である。その構成としては本体装置にさらに係合部分と操作部分を有したロック部材を組み込み、ストッパー装置のフラップに係合孔を備えておく。そしてフラップが磁力により持ち上がって本体装置の係止部に当接した、つまり扉が開方向に規制された状態で、操作手段により係合部分をフラップの係合孔に係合させると扉の閉方向への移動を規制することができる。また簡単な操作にて両者の係合状態を解除することにより、そのまま扉を閉鎖することができるようにしておく。
【発明の効果】
【００２１】
遠心力を利用した移動体の動作に連動して磁石と係止部を有する昇降部材を下方に下げることができ、磁石とフラップ間の距離が短くなることでより強い磁力でフラップを吸引することが可能となり、その結果昇降部材に設けた係止部とフラップ先端との当接により扉のより確実な係止動作を得ることができる。
【００２２】
従来の構成の磁石とフラップを用いた扉止め装置においては、扉の移動開閉速度が速くなるのに略反比例して係止部とフラップ先端とが当接する係止条件が悪くなるのに対して、遠心力は扉の移動速度に略比例して大きくなるため非常に効果的である。
【００２３】
昇降部材と移動体が本体ケース内で一定距離移動するだけの動作を用いたため、本体装置自体を比較的コンパクトな形状にて設定でき、扉の面付け及び掘り込み両方に対応可能であり、左右勝手も兼用する構成にて簡単に実施することができる。また比較的少ない部品点数にて構成可能であり、安価に生産することが容易である。
【００２４】
ストッパー装置のベース座とフラップ間にばね部材を装着し、フラップ自体の重量と吊り合うか、もしくはかろうじてフラップが浮かない程度にて持ち上げる方向に付勢させておくことにより、本体装置の磁石が接近した際によりフラップが吸引されて持ち上がりやすい構成を得ることができる。
【００２５】
本体装置にさらに係合部分と操作部分からなるロック部材を組み込み、ストッパー装置のフラップに係合孔を備えた構成にすることにより、フラップが磁力により持ち上がって本体装置の係止部に当接した扉が開方向に規制された状態で、ロック手段により係合部分をフラップの係合孔に係合させて扉の閉方向への移動を規制し、さらには解除手段により扉をそのまま閉鎖させることができる。
【発明を実施するための最良の形態】
【００２６】
以下、図面に基づいて本発明の扉止め装置の実施の形態を説明する。図１は本発明の本体装置aの分解斜視図であり、解り易くするために扉面への取り付け孔７や細部は省略してある。図２は本発明のストッパー装置bの斜視図であり、ストッパー装置bは係合孔１４を有したフラップ１２とベース座１３から構成され、ベース座１３に対してフラップ１２が上下方向に回動可能に装着されている。図２はフラップ１２が持ち上がっている状態を示しており、通常時は自重によりフラップ１２は下がっており、ベース座１３に密着して重なったストッパー装置b全体が薄い状態になっている。
【００２７】
本体装置aは図１に示すように本体ケース１と移動体２と昇降部材３と裏フタ４と磁石５とから構成されており、磁石５は昇降部材３に組み込まれている。図３は本体ケース１の平面図であり、図４は本体ケース１の上面図である。図３及び図４に示すように本体ケース１は略箱型で内部は空間になっており、上下方向の中間位置に十字形状の水平面６を設けさらに取り付け孔７と底面８を設けておく。
【００２８】
図５は昇降部材３の正面図であり、図６は昇降部材３の上面図であり、図７は昇降部材３の側面図である。図５に示すように昇降部材３は上部に逆ハの字形状の傾斜面９を有し、図７に示すように傾斜面９の厚み方向にスリットが設けられている。そして下部位置に磁石５を組み込んでおき、最下部位置に係止部１０が設けられている。
【００２９】
図８は本体ケース１に磁石５を組み込んだ昇降部材３と移動体２を配置した状態を示しており、本体ケース１の水平面６の下側から昇降部材３を挿入し、昇降部材３の傾斜面９が水平面６より上側に突出するように両者を配置する。そして昇降部材３は本体ケース１内で上下方向のみに一定距離移動可能なように構成しておく。従って本体ケース１の底面８は一部分開口させた形状にしておき、昇降部材３が下がったときにその開口部分から係止部１０が下方向に突出するように設定しておく。また移動体２は図８に示すような球体か若しくは円柱状がよく、水平面６の中央位置に乗せた状態で本体ケース１内に配置する。図５での昇降部材３の中央部分両側を大きく盗んでいるのは、上下移動の際に図３に示している本体ケース１の取り付け孔７部分を回避するためのものである。
【００３０】
次に、図８に示すように本体ケース１の底面８と昇降部材３間にばね部材１１を挿入し、昇降部材３の傾斜面９が本体ケース１の水平面６から上側に突出した状態で保持する。このときのばね部材１１の強さと磁石５を含む昇降部材３の重量との関係が重要であり、傾斜面９が水平面６上にかろうじて突出する状態に設定しておく。つまり磁石５を含む昇降部材３はぎりぎり自重を支える程度で略浮いた状態にてばね部材１１により付勢されていることになる。従って移動体２は通常時には図８に示す昇降部材３の両傾斜面９の中央位置の水平面６上に配置されることになる。そして図８の状態で戸先側の扉面下部位置に本体装置aを装着する。
【００３１】
図９は戸先下部に装着された本体装置aの内部の動作を示した正面図であり、扉２３が停止している状態では図９(a)のように移動体２は水平面６の中央位置の両傾斜面９間に配置されており、昇降部材３はかろうじて浮いた状態を保持している。そして上記の状態から扉２３を急激に開放すると、移動体２に遠心力がかかり、移動体２が水平面６上を戸先方向に転動しようとし、図９(b)に示すように昇降部材３の傾斜面９を押し下げる動作が得られる。その結果磁石５及び係止部１０が本体ケース１に対して下方に下がることになる。
【００３２】
図１０は本体装置aとストッパー装置bを実際に扉２３と床面２４に配置し、扉２３を急激に開放したときの動作を示した側面図である。図１０(a)は本体装置aがストッパー装置bにまだ接近していないが扉２３の開放動作により既に移動体２に押されて昇降部材３が下降している状態である。また図１０(b)は本体装置aにストッパー装置bが接近して磁石５にフラップ１２が吸引されてフラップ１２先端が係止部１０に当接して扉２３の開放動作を係止させた状態を示している。そして扉２３が停止すると当然遠心力はかから無い状態に戻るため、極弱い力ではあるが磁石５を含む昇降部材３はばね部材１１の付勢力により略浮いた図１０(c)の状態に戻り、その状態で保持されることになる。
【００３３】
ここで磁石５とフラップ１２との距離の特性においては、吸引力は両者の距離の略２乗に反比例することが知られている。また扉２３の速度に対しては略反比例することが知られている。つまり同じ強さの磁石５においてはフラップ１２との距離が開くほど極端に吸引力が低下し、同時に扉２３の開放速度が増すと益々吸引しにくくなる点が重要である。従って、従来の磁石５及び係止部１０の位置が固定されているタイプでは、一定の磁石５とフラップ１２との距離においては、低速度の開放ではフラップ１２と係止部１０が当接して扉２３を係止させることができても、扉２３の速度を上げていった段階でフラップ１２が持ち上がるより先に扉２３が通過してしまう空振り現象が起こる。そしてこの空振り現象は磁石５とフラップ１２の距離が大きくなると低速度においても起こってしまうことになる。
【００３４】
そこで、磁石５自体の磁力を強く設定できればよいのであるが、相対的に体積あたりの磁力が強い磁石５はコストも高価な傾向にあり、デザイン性等のために磁石５の大きさにもある程度の制限があり、現在ドアの各種納まりにおいての扉２３の下端面と床面２４との隙間の距離と、戸止め装置としての必要な開放速度に対して幅広く対応できるものはまだない。したがって、一定範囲内での扉２３の下端面と床面２４との距離で、一定開放速度までの範囲を設定して、その範囲内で扉止め機能を確保できる製品として使用しているのが現状である。
【００３５】
ところが本発明の扉止め装置は、扉２３の開放速度が速い係止条件の悪いときほど磁石５及び係止部１０位置を下方に下げることができ非常に効果的である。さらには、本発明の構成においては移動体２の本体ケース１内での戸先方向への移動距離と昇降部材３の傾斜面９の角度により、磁石５と係止部１０の下方への降下寸法が任意に設定できるため、より幅広いドアの納まり条件に対応させることが可能になる。また、上記においては昇降部材３に係止部１０を設け、さらに磁石５を組み込んで同時に降下させる磁石５が移動する構成で説明しているが、磁石５は本体ケース１に対して定位置にて保持され、遠心力により係止部１０を設けた昇降部材３のみが降下する構成も可能であり、吸引に関する効果においては上記実施形態よりは低下するが、従来での構成でフラップ１２が吸引されて持ち上がりながらもぎりぎり間に合わずに空振りするような場合においては係止部１０のみが下がる構成においても効果的である。
【００３６】
ここで床面２４と扉２３の下端面との隙間が小さい納まりにおいては、基準の最低隙間より昇降部材３の降下距離を大きくとると開放途中で係止部１０が床面２４に擦ることが想定されるためこの点においては注意が必要である。また、図８にて昇降部材３の傾斜面９を逆ハの字に形成したのは本体装置aを左右兼用にするために講じたものである。さらには、移動体２は比重の大きい物質にて設定する方が遠心力を得やすいのであるが、安価で比較的比重が大きい鋼材は磁石５に吸引されるため本発明においては不向きであり、磁性のない材料、例えばステンレス鋼SUS304や銅製若しくは真鍮の転動体を用いるとよい。
【００３７】
上記の構成では移動体２に球体の転動体を用いたが、扉２３の開放による遠心力で磁石５を含む昇降部材３を降下させることが必要条件となるため、上記の構成に限らず他の構成も幅広く想定することが可能である。前述のように移動体２を動作させる遠心力は移動体２の重量が重いほど大きな力が得られるのであるが、球体を用いた場合は本体ケース１の厚み寸法や上下寸法に対して十分な重量が得にくい点が想定される。そこで図１１は移動体２の重量を得やすい別の構成を示した模式図である。本体ケース１と係止部１０を有する昇降部材３と磁石５は同じであり、ばね部材１１も同様に配置して昇降部材３を略浮かせた状態にて保持する。ここで移動体２を山形形状でウエイト部材１５を追加した形状にし、移動体２と本体ケース１の水平面６間に移動体２が戸先方向に移動しやすいように別途コロ１６を配置しておく。図１１(a)は扉２３の停止状態での移動体２の配置であり、開放と共に移動体２に遠心力がかかるとコロ１６に乗った状態で戸先方向に移動して昇降部材３を下降させる動作が得られる。この構成ではウエイト部材１５の重量を比較的任意に設定できるため大きな遠心力が得られ、さらにフラップ１２と係止部１０とを係止させる条件範囲を広く設定することが可能になる。
【００３８】
図１２はもう一つの別案であり、実施形態での転動体や上記別案でのコロ１６等の転がり部材を用いた構成ではなく、遠心力を振り子部材１７にて受ける構成を示した模式図である。本体ケース１にばね部材１１により略浮かせた状態で傾斜面９と磁石５と係止部１０を有した昇降部材３を挿入する構成は同様である。そして図１２に示すように振り子部材１７は上部に扇型の頭部を有し、上部が重量バランスにおいて重くなるようにしておく。また図には記していないがウエイト部材１５をさらに頭部に配置しても良い。下部は棒状で先端が昇降部材３の傾斜面９の最も低い部分に接しており、中央位置に扉面と平行に回転可能なように軸心１８を構成しておく。図１２(a)は扉２３の停止状態であり、扉２３を開放すると重量バランスが遥かに大きい頭部が遠心力を受けて軸心１８を中心に回転し、図１２(b)に示すように棒状下部先端が傾斜面９を押して昇降部材３を下降させることができる。
【００３９】
図１２の構成は振り子部材１７の回転運動の軌跡にて昇降部材３を押し下げるため、前述の移動体に転動体を用いる構成やコロ１６に移動体２を乗せるタイプと同等の降下距離を得るには傾斜面９の角度はかなりきつくする必要がある。しかしこの構成では本体ケース１内の水平面６は必要なく、転動体等が左右方向に転がる横方向のサイズが比較的小さくてよいため、本体装置a自体をコンパクトにすることができると想定される。
【００４０】
次に、以上にて説明したフラップ１２と係止部１０の当接による係止動作と共に必要とされる、扉２３を開放した状態でのロック機構について説明する。図１３〜図１５はロック機構の一例を示しており、まず図１３に示すように、上部がつまみ形状の操作部分２０で下部に凹部分２２を有した係合部分２１を備えたロック部材１９を設ける。そして図１４に示すように本体ケース１の前面にロック部材１９を配置し、上下方向にのみ一定距離移動可能な状態で本体ケース１に装着する。このときロック部材１９は本体ケース１に対して前後方向にはかなり強い力で保持できるように設定しておく。図１４に示すロック部材１９の係合部分２１の下端が本体ケース１の底面８から下方向に突出していない状態が解除位置である。また図２に示すようにフラップ１２の所定の位置に係合孔１４を設けておく。
【００４１】
上記の構成から扉２３が開放されると、本体装置aの係止部１０にストッパー装置bのフラップ１２が吸引されて当接し、扉２３が係止された後に図１５(a)に示す状態になる。このときロック部材１９の係合部分２１とフラップ１２の係合孔１４が上下方向に一直線になるように配置しておく。そして図１５(a)の状態から操作部分２０を押す動作でロック部材１９を下げると、図１５(b)に示すように係合部分２１の下方先端が係合孔１４に挿入されることになり、この開放位置にて扉２３を保持することができる。また図１５(b)の状態でフラップ１２は傾いているため、図１５(b)の状態から扉２３を閉鎖しようとするとロック部材１９の係合部分２１に対してフラップ１２が滑って外れやすい状態になる。そこで図１３及び図１５に示すように係合部分２１に凹部分２２を設け、フラップ１２の係合孔１４内辺が凹部分２２に引っかかるようにしておくとよい。
【００４２】
このロック部材１９の上下操作においては、図には表記していないが、ねじりばね等を用いて上下移動可能距離の中央位置を境にしてどちらかに付勢するようなクリック感を有した構成か、若しくは球体を押しばねにて付勢させておき、所定の位置にて球体がへこみ部分に嵌り込んでその位置を保持する構成等を設けておき、操作感触を向上させるとよい。また手での押し引きの操作のみでなく、足の指先での操作も可能なようにしておくとさらに良い。
【００４３】
以上では、扉止め装置の本体装置側にて本体装置aとストッパー装置bとの係止条件を高める構成にて説明してきたが、ストッパー装置側においても両者の係止条件を向上させることが可能である。その構成の一例としては、図１６に示すようにストッパー装置bのベース座１３とフラップ１２間にばね部材１１を挿入し、かろうじてフラップ１２が持ち上がらない程度ぎりぎりの力でのフラップ１２の自重を受けるように設定すると良い。すると本体装置aがストッパー装置bに接近した際にフラップ１２を持ち上げる動作が容易になる。
【００４４】
図１６はフラップ１２とベース座１３間にばね部材１１としてねじりばねを挿入した構成であり、フラップ１２が磁力により吸引されて持ち上がっている状態を示している。また、この際のばね部材１１の種類や組み込み方法は特に限定されるものではない。しかしフラップ１２自体の重量はそれほど重くはなく、通常時にはベース座１３面に密着した下がった状態で保持されなくてはならないため、非常に弱いばね部材１１を組み込むことになる。そこで、ばね部材１１を他の外部からの力、例えば清掃時にフラップ１２に掃除機の吸い込み口が干渉する等によりばね部材１１が破損しないように、フラップ１２とベース座１３の内部に完全に入り込んだ状態で配置しておく必要がある。
【００４５】
また、前述の本体装置aの係止部１０を有する昇降部材３を磁石５と共に遠心力を用いて降下させる構成と、上記のフラップ１２とベース座１３間にばね部材１１を組み込む構成のどちらか片方を実施してもよく、さらには両者を同時に用いることにより、益々広い範囲でのドアの納まりに対応可能な扉止め装置を提供することができることになる。
【図面の簡単な説明】
【００４６】
【図１】本発明の扉止め装置の、本体装置の分解斜視図である。
【図２】本発明の扉止め装置の、ストッパー装置の斜視図である。
【図３】本発明の扉止め装置の、本体ケースの平面図である。
【図４】本発明の扉止め装置の、本体ケースの上面図である。
【図５】本発明の扉止め装置の、昇降部材の正面図である。
【図６】本発明の扉止め装置の、昇降部材の上面図である。
【図７】本発明の扉止め装置の、昇降部材の側面図である。
【図８】本発明の扉止め装置の、本体装置の組み付け平面図である。
【図９】本発明の扉止め装置の、本体装置を扉に装着して閉鎖したときの動作を示す軌跡図である。
【図１０】本発明の扉止め装置の、扉の閉鎖による本体装置とストッパー装置の係止状態を示す側面軌跡図である。
【図１１】本発明の扉止め装置の、本体装置に別の移動体を用いた構成での軌跡を示す模式図である。
【図１２】本発明の扉止め装置の、本体装置にさらに別の移動体を用いた構成での軌跡を示す模式図である。
【図１３】本発明の扉止め装置の、本体装置に装着されるロック部材の斜視図である。
【図１４】本発明の扉止め装置の、ロック部材を組み込んだ本体装置の側面納まり図である。
【図１５】本発明の扉止め装置の、ロック部材によるストッパー装置との係合動作を示す側面軌跡図である。
【図１６】本発明のストッパー装置の、フラップとベース座間にばね部材を組み込んだ状態の側面断面図である。
【符号の説明】
【００４７】
a       本体装置
b       ストッパー装置
１      本体ケース
２      移動体
３      昇降部材
４      裏フタ
５      磁石
６      水平面
７      取り付け孔
８      底面
９      傾斜面
１０    係止部
１１    ばね部材
１２    フラップ
１３    ベース座
１４    係合孔
１５    ウエイト部材
１６    コロ
１７    振り子部材
１８    軸心
１９    ロック部材
２０    操作部分
２１    係合部分
２２    凹部分
２３    扉
２４    床面
【図１】
2007285053.tif 000003
【図２】
2007285053.tif 000004
【図３】
2007285053.tif 000005
【図４】
2007285053.tif 000006
【図５】
2007285053.tif 000007
【図６】
2007285053.tif 000008
【図７】
2007285053.tif 000009
【図８】
2007285053.tif 000010
【図９】
2007285053.tif 000011
【図１０】
2007285053.tif 000012
【図１１】
2007285053.tif 000013
【図１２】
2007285053.tif 000014
【図１３】
2007285053.tif 000015
【図１４】
2007285053.tif 000016
【図１５】
2007285053.tif 000017
【図１６】
2007285053.tif 000018